(57)【要約】【課題】構造体と壁材との間の間隙を十分に長く確保可能であるとともに、壁材を安定して支持できる取付具及び壁構造を提供する。【解決手段】本発明の取付具は、構造体２に例えば外壁材１２を取り付けるためのものである。基部１は、構造体２に取り付けるための固定孔１ａを有している。一対の側壁３、５は、基部１の両端から突出している。一対の支持部７、９は、各側壁３、５の先端から互いに離れる方向に延びている。一対の係合部１１、１３は、各支持部７、９に設けられ、外壁材１２を係止する。規制部１５は、基部１から突出して両側壁３、５間に位置し、両側壁３、５間の距離を維持する。【選択図】図１
2018165438.tif 000002
【特許請求の範囲】
【請求項１】
構造体に壁材を取り付けるための取付具であって、
前記構造体に取り付けるための固定領域を有する基部と、
前記基部の両端から突出する一対の側壁と、
各前記側壁の先端から互いに離れる方向に延びる一対の支持部と、
各前記支持部に設けられ、前記壁材を係止する一対の係止部と、
前記基部から突出して両前記側壁間に位置し、両前記側壁間の距離を維持する規制部とを備えていることを特徴とする取付具。
【請求項２】
両方の前記側壁及び前記支持部には、前記側壁と前記支持部とに亘って形成された溝状部が形成されている請求項１記載の取付具。
【請求項３】
各前記係止部の基端部位が前記支持部から延びる位置に対し、
前記溝状部及び前記固定領域は前記基部の一方側に設けられ、
前記規制部は前記基部の他方側に設けられている請求項２記載の取付具。
【請求項４】
前記基部には、前記規制部と前記溝状部との間において、一方側の前記側壁から他方側の前記側壁に向かって延びる第１凸部が形成されている請求項３記載の取付具。
【請求項５】
前記基部には、前記固定領域の両側で前記第１凸部と交差する方向に延びる一対の第２凸部が形成されている請求項４記載の取付具。
【請求項６】
前記規制部の先端面は、両前記支持部と略同一の平面上にある請求項１記載の取付具。
【請求項７】
前記規制部の基端部位は、先端部位より幅狭とされることにより、各前記側壁との間に空隙が形成されている請求項１記載の取付具。
【請求項８】
両前記支持部における前記側壁から離れた縁端に形成され、前記側壁が前記基部から突出する方向と反対の方向に突出する端縁部を備え、
両前記端縁部は、前記基部から各前記支持部までの距離よりも短い距離で延びている請求項１記載の取付具。
【請求項９】
建物の構造体に対し、取付具を用いて壁材を取り付けた壁構造であって、
前記取付具は、
前記構造体に取り付けるための固定領域を有する基部と、
前記基部の両端から前記構造体から離れる方向に突出する一対の側壁と、
各前記側壁の先端から互いに離れる方向に延びる一対の支持部と、
各前記支持部に設けられ、前記壁材を係止する係止部と、
前記基部から突出して両前記側壁間に位置し、両前記側壁間の距離を維持する規制部とを備えていることを特徴とする壁構造。
【発明の詳細な説明】
【技術分野】
【０００１】
本発明は壁材の取付具及び壁構造に関する。
【背景技術】
【０００２】
従来、特許文献１〜３に開示された取付具が知られている。これらの取付具は、建物を構成する構造体に壁材を取り付けるために用いられる。特許文献１、２に開示された取付具は、壁材の接合部である所謂さね部がある壁材を構造体に取り付ける際に用いられる。特許文献３に開示された取付具は、窓枠等の開口部の下側や軒天の下側等に用いられ、壁材を窓枠等の下部の位置に適合するように所定の長さに切断した場合に用いられる。
【０００３】
特許文献１の図１又は図４に開示された取付具は、基部と、二対の側壁と、一対の支持部と、一対の係止部とを備えている。特許文献１の図１に開示された取付具では、基部は、矩形の板状をなし、構造体に取り付けるための固定孔を有している。二対の側壁も矩形の板状をなしている。中央側の各側壁は、基部の両端から基部に対して直角方向に突出している。各支持部も矩形の板状をなしている。各支持部は、中央側の側壁の先端から側壁に対して直角方向で互いに離れる方向に延びている。左右の側壁も矩形の板状をなしている。左側の側壁又は右側の側壁は、各支持部に対して直角方向で突出し、基部から各支持部までの距離と同じ距離で延びている。係止部は各支持部に設けられている。
【０００４】
特許文献２の図１又は図６に開示された取付具は、基部と、一対の側壁と、一対の支持部と、一対の係止部とを備えている。これらの取付具でも、基部は、矩形の板状をなし、構造体に取り付けるための固定孔を有している。また、一対の側壁も矩形の板状をなしている。各側壁は、基部の両端から基部に対して直角方向に突出している。各支持部も矩形の板状をなしている。各支持部は、側壁の先端から側壁に対して直角方向で互いに離れる方向に延びている。係止部は各支持部に設けられている。係止部は支持部の一端で湾曲しつつ突出している。また、特許文献２の図６に開示された取付具は、基部の一端側に矩形状に形成された安定部を有している。
【０００５】
特許文献３の図１４及び図１５に開示された取付具は、基部と、支持部と、一対の係止部とを備えている。この取付具でも、基部は構造体に取り付けるための固定孔を有している。支持部は、基部から絞り加工によって膨出されている。各係止部は、支持部から支持部に対して直角方向に突出する基端部位と、基端部位から基部の一方側に延びる先端部位とからなる。
【先行技術文献】
【特許文献】
【０００６】
【特許文献１】特開２００１−２０４９６号公報
【特許文献２】実開昭６２−９６０３号公報
【特許文献３】特開２００９−４１１８１号公報
【発明の概要】
【発明が解決しようとする課題】
【０００７】
ところで、構造体に壁材を取り付けた取付具には、係止部を介して壁材によって構造体から離れる方向に向かう外力が作用する。このため、上記特許文献１、２に開示された取付具では、構造体と壁材との間の通気層等の間隙を十分に長く確保するために側壁の突出長さを長くすると、その外力によって側壁が倒れ易く、壁材を安定して支持し難くなる可能性がある。
【０００８】
他方、上記特許文献３に開示された取付具では、基部と支持部との距離を長くし難いことから、構造体と壁材との間の間隙を十分に長く確保し難い。
【０００９】
本発明は、上記従来の実情に鑑みてなされたものであって、構造体と壁材との間の間隙を十分に長く確保可能であるとともに、壁材を安定して支持できる取付具及び壁構造を提供することを解決すべき課題としている。
【課題を解決するための手段】
【００１０】
本発明の第１の態様の取付具は、構造体に壁材を取り付けるための取付具であって、
前記構造体に取り付けるための固定領域を有する基部と、
前記基部の両端から突出する一対の側壁と、
各前記側壁の先端から互いに離れる方向に延びる一対の支持部と、
各前記支持部に設けられ、前記壁材を係止する一対の係止部と、
前記基部から突出して両前記側壁間に位置し、両前記側壁間の距離を維持する規制部とを備えていることを特徴とする。
【００１１】
第１の態様の取付具では、両側壁間に基部から突出する規制部が存在し、規制部が両側壁間の距離を維持する。つまり、規制部は、外力によって両側壁が互いに近づくように倒れるような変形を防止する。このため、側壁の突出長さを長くして、通気層等の構造体と壁材との間隙を確保できる。
【００１２】
また、この取付具では、基部と支持部との距離を長くすることができるため、構造体と壁材との間の間隙を十分に長く確保できる。このため、構造体と壁材との間にいわゆる胴縁等のスペーサを必ずしも設ける必要もない。
【００１３】
したがって、第１の態様の取付具は、構造体と壁材との間の間隙を十分に長く確保可能であるとともに、壁材を安定して支持できる。
【００１４】
また、この取付具は、中央に位置する基部によって、全体幅より十分に狭い幅で構造体に固定される。このため、構造体側の不陸によって両支持部に偏倚が生じることを防止でき、この意味においても壁材を安定的に支持できる。
【００１５】
本発明の第２の態様として、両方の側壁及び支持部には、側壁と支持部とに亘って形成された溝状部が形成されていることが望ましい。
【００１６】
この場合、両溝状部は、強い外力が作用した場合に、両支持部の側壁側の端部を支点として、支持部の外側の端部が互いに近づく方向に変形することを効果的に防止する。これによって、側壁の突出長さを確実に長くすることができ、通気層等の構造体と壁材との間隙を確実に確保できる。
【００１７】
本発明の第３の態様として、各係止部の基端部位が支持部から延びる位置に対し、溝状部及び固定領域は基部の一方側に設けられ、規制部は基部の他方側に設けられていることが望ましい。
【００１８】
この場合、溝状部及び規制部が基部の一方側と他方側とにおいて係止部を挟むこととなる。このため、外力が係止部を介して支持部に作用しても、支持部、ひいては取付具が変形することを効果的に防止できる。
【００１９】
また、固定領域は、係止部に対して一方側に偏倚して設けられる場合が多いが、このような場合、規制部及び溝状部の一方が固定領域の近傍に存在することにより、ネジ等による締結時の外力や、施工後に固定領域近傍に生じる外力によって取付具の変形、特に基部の変形を防止できる。
【００２０】
本発明の第４の態様として、基部には、規制部と溝状部との間において、一方側の側壁から他方側の側壁に向かって延びる第１凸部が形成されていることが望ましい。
【００２１】
第１凸部により、基部の剛性を高めることができる。このため、特に、ネジ等の締結具により固定領域を介して取付具を固定する際、固定領域近傍に生じる負荷による基部の変形を防止できる。
【００２２】
本発明の第５の態様として、基部には、固定領域の両側で第１凸部と交差する方向に延びる一対の第２凸部が形成されていることが望ましい。
【００２３】
この場合、両第２凸部間に固定領域が位置し、基部の剛性が高まる。このため、ネジ等の締結具により固定領域を介して取付具を固定する際、固定領域近傍に生じる負荷による基部の変形をより防止できる。
【００２４】
本発明の第６の態様として、規制部の先端面は、両支持部と略同一の平面上にあることが望ましい。
【００２５】
この場合、規制部が支持部としても機能して壁材の裏面を支持することとなる。このため、壁材をより安定して支持することができる。
【００２６】
本発明の第７の態様として、規制部の基端部位は、先端部位より幅狭とされることにより、各側壁との間に空隙が形成されていることが望ましい。
【００２７】
この場合、空隙によって規制部上に雨水等が溜まることを防止できる。規制部を斜めに形成した場合には、一層、雨水等の排水が容易になる。
【００２８】
本発明の第８の態様として、取付具は、両支持部における側壁から離れた縁端に形成され、側壁が基部から突出する方向と反対の方向に突出する端縁部を備えていることが好ましい。両端縁部は、基部から各支持部までの距離よりも短い距離で延びていることが好ましい。
【００２９】
この場合、端縁部が支持部の剛性を高めて取付具の変形を防止し、壁材を安定して支持することができる。また、両端縁部が基部から各支持部までの距離よりも短い距離で延びているため、構造体側に不陸があったとしても、端縁部が構造体の表面と接触しないため、壁材を安定的に支持できる。
【００３０】
本発明の第９の態様の壁構造は、建物の構造体に対し、取付具を用いて壁材を取り付けた壁構造であって、
前記取付具は、
前記構造体に取り付けるための固定領域を有する基部と、
前記基部の両端から前記構造体から離れる方向に突出する一対の側壁と、
各前記側壁の先端から互いに離れる方向に延びる一対の支持部と、
各前記支持部に設けられ、前記壁材を係止する一対の係止部と、
前記基部から突出して両前記側壁間に位置し、両前記側壁間の距離を維持する規制部とを備えていることを特徴とする。
【００３１】
本発明の第９の態様の壁構造によれば、第１の態様の取付具が奏する作用効果により、構造体と壁材との間の間隙を十分に長く確保可能であるとともに、壁材を安定して支持できる。
【発明の効果】
【００３２】
本発明の壁材の取付具及び壁構造では、構造体と壁材との間の間隙を十分に長く確保可能であるとともに、壁材を安定して支持できる。
【図面の簡単な説明】
【００３３】
【図１】図１は、実施例の取付具の斜視図である。
【図２】図２は、実施例の取付具の他の方向からの斜視図である。
【図３】図３は、実施例の壁構造に係り、壁構造の断面図である。
【図４】図４は、実施例の壁構造に係り、壁材を断面として示す正面図である。
【図５】図５は、実施例の壁構造に係り、構造体を断面として示す平面図である。
【図６】図６は、実施例の取付具の展開図である。
【図７】図７は、変形例１の取付具の正面図である。
【図８】図８は、変形例２の取付具の断面図である。
【発明を実施するための形態】
【００３４】
以下、本発明を具体化した実施例及び変形例１、２を図面を参照しつつ説明する。なお、図１において、垂直上方向を上と表示し、垂直下方向を下と表示する。また、図１の屋外から屋内に向う方向において水平左方向を左と表示し、水平右方向を右と表示する。そして、図２以降の各図に示す各方向は、図１に対応させて表示する。
【００３５】
（実施例）
実施例の取付具は、図１及び図２に示すように、基部１と、一対の側壁３、５と、一対の支持部７、９と、一対の係止部１１、１３と、規制部１５と、一対の端縁部１７、１９とを備えている。この取付具は、図６に示すように、１枚の金属板が打ち抜き加工、プレス加工及び折り曲げ加工等されることによって成形されている。但し、取付具の材料は金属に限られず、樹脂等であってもよい。
【００３６】
図１及び図２に示すように、基部１は矩形の板状をなしている。取付具が住宅、施設、倉庫等の建物を構成する構造体２（図３等参照）に取り付けられる際に上部となる基部１の一方側に固定孔１ａが貫設されている。固定孔１ａは、構造体２にねじ込む締結具としてのネジ４を挿入させる。固定孔１ａが構造体２に取り付けるための固定領域に相当する。
【００３７】
基部１には、一方側の側壁３から他方側の側壁５に向かって平行に延びる２本の第１凸部１ｂ、１ｃが形成されている。また、基部１には、固定孔１ａの両側に位置し、互いに平行に延びる一対の第２凸部１ｄ、１ｅが形成されている。第２凸部１ｄ、１ｅの下端は第１凸部１ｂの両端と直角に繋がっている。第１凸部１ｂ、１ｃ及び第２凸部１ｄ、１ｅは、図６に示すように、基部１がプレス加工されることによって基部１の屋外側の表面から突出している。
【００３８】
図１及び図２に示すように、各側壁３、５も矩形の板状をなしている。各側壁３、５は、図６に示すように、基部１の両端が折り曲げ加工されることによって成形されている。各側壁３、５は、図１及び図２に示すように、基部１の両端から基部１に対して直角方向に突出している。
【００３９】
各支持部７、９も矩形の板状をなしている。支持部７は、図６に示すように、側壁３の左端が折り曲げ加工されることによって成形されている。支持部９は、側壁５の右端が折り曲げ加工されることによって成形されている。各支持部７、９は、図１及び図２に示すように、側壁３、５の先端から側壁３、５に対して直角方向で互いに離れる方向に延びている。
【００４０】
側壁３及び支持部７には、側壁３と支持部７とに亘って形成された溝状部２１が形成されている。また、側壁５及び支持部９にも、側壁５と支持部９とに亘って形成された溝状部２３が形成されている。溝状部２１、２３は基部１の一方側に設けられている。溝状部２１、２３は、図６に示すように、側壁３、５及び支持部７、９がプレス加工されることによって側壁３、５及び支持部７、９の屋外側の表面から凹んでいる。
【００４１】
各支持部７、９に係止部１１、１３が形成されている。係止部１１、１３は、支持部７、９から直角に延びる基端部位１１ａ、１３ａと、基端部位１１ａ、１３ａの先端から基部１の他端側に直角に延びる先端部位１１ｂ、１３ｂとからなる。係止部１１、１３は、図６に示すように、支持部７、９が打ち抜き加工及び折り曲げ加工されることによって成形されている。すなわち、支持部７、９が打ち抜き加工されることにより略Ｕ字形状の切欠き７ａ、９ａが形成され、切欠き７ａ、９ａで囲まれた部位が折り曲げ加工されることにより基端部位１１ａ、１３ａ及び先端部位１１ｂ、１３ｂが形成されている。
【００４２】
図１及び図２に示すように、各支持部７、９には、切欠き７ａ、９ａの外側で一端側から他端側に向かって延びる第３凸部７ｂ、９ｂが形成されている。第３凸部７ｂ、９ｂは、図６に示すように、支持部７、９がプレス加工されることによって支持部７、９の屋外側の表面から突出している。
【００４３】
また、図１及び図２に示すように、規制部１５は、基部１の下端から突出して両側壁３、７間に位置し、両側壁３、７間の距離を維持するようになっている。より具体的には、規制部１５の幅は、基部１の幅と同等であるか、僅かに短い。このため、側壁３、５と規制部１５との隙間は、０．５ｍｍ以下、好ましくは０．２ｍｍ以下である。この隙間は、規制部１５の両側に存在する。
【００４４】
規制部１５は、取付具が構造体２（図３等参照）に取り付けられる際に基部１の下端となる側に設けられている。規制部１５は、図６に示すように、基部１の下端が折り曲げ加工されることによって成形されている。規制部１５は、図１及び図２に示すように、基部１の下端から基部１に対して直角方向に突出している。規制部１５の長さは、規制部１５の先端面１５ａが両支持部７、９と略同一の平面上となるように設定されている。
【００４５】
規制部１５は、基部１側に位置する基端部位１５ｂと、基端部位１５ｂと一体をなして先端側に位置する先端部位１５ｃとからなる。基端部位１５ｂは、先端部位１５ｃより幅狭とされることにより、各側壁３、５との間に空隙２５、２７が形成されている。
【００４６】
各端縁部１７、１９も矩形の板状をなしている。各端縁部１７、１９は、支持部７、９における側壁３、５から離れた縁端に形成され、側壁３、５が基部１から突出する方向と反対の方向に突出している。両端縁部１７、１９は、基部１から各支持部７、９までの距離よりも短い距離、すなわち側壁３、５の基部１からの突出長さより短い長さで延びている。
【００４７】
次に、本実施例の取付具を用いて壁材を取り付ける方法について説明する。この取付具は、図３に示すように、壁材としての外壁材１２とともに構造体２に取り付けられる。構造体２は、複数の構造部材によって構成されている。構造部材には、左右方向に所定の間隔を有して並ぶ複数の柱材や柱材間に配置される間柱等の柱部材６、柱部材６の外面に固定された板材８、柱部材６及び板材８に固定された窓枠１０等が含まれる。
【００４８】
外壁材１２は、左右方向に長い略矩形状の板材である。本実施例では、外壁材１２は、四方合決り構造のものであり、上端部、下端部、右端部及び左端部に隣接する外壁材１２と重ね合わされる接合部としての所謂さね部を有している。
【００４９】
この実施例では、窓枠１０の開口部の下方から外壁材１２を積み上げ、窓枠１０の下端に所定幅の外壁材１２を取り付ける。このため、窓枠１０の下端に位置する外壁材１２に対しては、その長辺に沿って切断を行い、その上端面に電気丸のこ等によってスリット１２ａを形成している。
【００５０】
そして、図３〜５に示すように、取付具の係合部１１の先端部位１１ｂ、１３ｂをスリット１２ａに差込む。この状態で、固定孔１ａが上部に位置するように取付具を構造体２上に配置し、工具によって締結具としてのネジ４を固定孔１ａから構造体２にねじ込む。これにより、取付具の基部１が構造体２に取り付けられる。また、外壁材１２の裏面は第３凸部７ｂ、９ｂに当接し、外壁材１２が支持部７、９に支持される。こうして、構造体２に外壁材１２を取り付けることが可能となる。その後、窓枠１０の下部１０ａと外壁材１２の上端面との隙間に発泡樹脂等からなるバックアップ材１４が挿入され、さらにその上にシーリング材１６が充填される。
【００５１】
なお、窓枠１０の下端に外壁材１２のさね部が位置する場合や、窓枠１０の下端以外に配置する外壁材１２に対しては、外壁材１２の上端のさね部を係止部１１、１３の先端部位１１ｂ、１３ｂで構造体２側に挟み込むことにより、外壁材１２を取り付けることも可能である。
【００５２】
こうして、建物の構造体２に対し、取付具を用いて外壁材１２を取り付けた壁構造が得られる。
【００５３】
この取付具では、図５に示すように、両側壁３、５間に基部１から突出する規制部１５が存在し、規制部１５が両側壁３、５間の距離を維持する。つまり、規制部１５は、外力によって両側壁３、５が互いに近づくように倒れるような変形を防止する。このため、側壁３、５の突出長さを長くして、通気層等の構造体２と外壁材１２との間隙を確保できる。
【００５４】
また、この取付具では、基部１と支持部７、９との距離を長くすることができるため、構造体２と外壁材１２との間の間隙を十分に長く確保できる。このため、構造体２と外壁材１２との間にいわゆる胴縁等のスペーサを必ずしも設ける必要もない。
【００５５】
また、この取付具は、中央に位置する基部１によって、全体幅より十分に狭い幅で構造体２に固定される。このため、構造体２側の不陸によって両支持部７、９に偏倚が生じることを防止でき、この意味においても外壁材１２を安定的に支持できる。
【００５６】
さらに、この取付具では、側壁３、５及び支持部７、９に溝状部２１、２３が形成されている。両溝状部２１、２３は、強い外力が作用した場合に、両支持部７、９の側壁３、５側の端部を支点として、支持部７、９の外側の端部が互いに近づく方向に変形することを効果的に防止する。これによって、側壁３、５の突出長さを確実に長くすることができ、通気層等の構造体２と外壁材１２との間隙を確実に確保できる。
【００５７】
また、この取付具では、図１及び図２に示すように、各係止部１１、１３の基端部位１１ａ、１３ａが支持部７、９から延びる位置に対し、溝状部２１、２３及び固定孔１ａが基部１の上方側に設けられ、規制部１５が基部１の下方側に設けられている。このため、溝状部２１、２３及び規制部１５が基部１の上方側と下方側とにおいて係止部１１、１３を挟んでいる。従って、外力が係止部１１、１３を介して支持部７、９に作用しても、支持部７、９、ひいては取付具が変形することを効果的に防止できる。
【００５８】
さらに、この取付具では、固定孔１ａが係止部１１、１３に対して上方側に偏倚して設けられ、溝状部２１、２３が固定孔１ａの近傍に存在しているため、ネジ４等による締結時の外力や、施工後に固定孔１ａ近傍に生じる外力によって取付具の変形、特に基部１の変形を防止できる。
【００５９】
また、この取付具では、基部１に第１凸部１ｂ、１ｃが形成されているため、基部１の剛性を高めている。このため、特に、ネジ４等の締結具により固定孔１ａを介して取付具を固定する際、固定孔１ａ近傍に生じる負荷による基部１の変形を防止できる。
【００６０】
さらに、この取付具では、基部１に第２凸部１ｄ、１ｅが形成されているため、両第２凸部１ｄ、１ｅ間に固定孔１ａが位置し、基部１の剛性がさらに高まっている。このため、ネジ４等の締結具により固定孔１ａを介して取付具を固定する際、固定孔１ａ近傍に生じる負荷による基部１の変形をより防止できる。
【００６１】
また、この取付具では、規制部１５の先端面１５ａが両支持部７、９と略同一の平面上にあるため、規制部１５が支持部７、９としても機能して外壁材１２の裏面を支持することとなる。このため、外壁材１２をより安定して支持することができる。
【００６２】
さらに、この取付具では、規制部１５の基端部位１５ｂが各側壁３、５との間に空隙２５、２７を形成しているため、空隙２５、２７によって規制部１５上に雨水等が溜まることを防止できる。
【００６３】
また、この取付具は、基部１から両支持部７、９までの距離よりも短い距離で延びる端縁部１７、１９を備えているため、端縁部１７、１９が支持部７、９の剛性を高めて取付具の変形を防止し、外壁材１２を安定して支持することができる。また、両端縁部１７、１９が基部１から各支持部７、９までの距離よりも短い距離で延びているため、構造体２側に不陸があったとしても、端縁部１７、１９が構造体２の表面と接触しないため、外壁材１２を安定的に支持できる。
【００６４】
したがって、この取付具は、構造体２と外壁材１２との間の間隙を十分に長く確保可能であるとともに、外壁材１２を安定して支持できる。また、この壁構造によれば、取付具が奏する作用効果により、構造体２と外壁材１２との間の間隙を十分に長く確保可能であるとともに、外壁材１２を安定して支持できる。
【００６５】
（変形例１）
図７に示すように、係止部１１、１３が基部１の他端側に直角に延びる第１先端部位１１ｃ、１３ｃと、基部１の一端側に直角に延びる第２先端部位１１ｄ、１３ｄとを有していても良い。この場合、一つの取付具が下段の外壁材１２と上段の外壁材１２とを係止することが可能である。なお、変形例１では、第１凸部を一つとし、第１凸部１ｂのみとしている。
【００６６】
（変形例２）
図８に示すように、規制部２９が基部１に対して傾斜するようにしてもよい。この場合には、雨水等の排水がより容易になる。なお、変形例２では、第１凸部を一つとし、第１凸部１ｃのみとしている。
【００６７】
以上において、本発明を実施例等に即して説明したが、本発明は上記実施例等に制限されるものではなく、その趣旨を逸脱しない範囲で適宜変更して適用できることはいうまでもない。
【００６８】
例えば、係止部としては、種々の構造を採用することが可能である。また、固定領域として、固定孔１ａを設けず、ネジ４で基部１に孔を開けつつ、ネジ４を構造体２にねじ込むことも可能である。
【００６９】
第２凸部１ｄ、１ｅは第１凸部１ｂと交差する方向に延びておればよく、必ずしも第１凸部１ｂと直交している必要はない。また、取付具が第３凸部７ｂ、９ｂを有さず、支持部７、９の表面が外壁材１２を直接支持する構成としてもよい。さらに、端縁部１７、１９は、支持部７、９の縦方向の幅全部にある必要は無く、一部のみにあってもよい。
【００７０】
構造体２は、本実施例の構成に限定されず、木造枠組壁構法等によって建築されてもよい。また、構造体２は、例えば、鉄骨造、鉄筋コンクリート造、レンガ造等の躯体であってもよい。
【００７１】
壁材は、上下方向に長い略矩形状の板材であってもよい。このように壁材を縦張りする場合、取付具を実施例から９０°回転させて使用することとなる。
【００７２】
また、壁材は、上下合決り構造のものであってもよく、さね部等の接合部を有さないものであってもよい。また、壁材は、外壁材に限定されず、内壁材であってもよい。さらに、壁材は、合板、石膏ボード等のものの他、金属系材、樹脂系材等であってもよい。
【符号の説明】
【００７３】
２…構造体
１２…外壁材（壁材）
１ａ…固定孔（固定領域）
１…基部
３、５…側壁
７、９…支持部
１１、１３…係止部
１５…規制部
２１、２３…溝状部
１１ａ、１３ａ…基端部位
１ｂ、１ｃ…第１凸部
１ｄ、１ｅ…第２凸部
１５ａ…先端面
１５ｂ…基端部位
１５ｃ…先端部位
２５、２７…空隙
１７、１９…端縁部
【図１】
2018165438.tif 000003
【図２】
2018165438.tif 000004
【図３】
2018165438.tif 000005
【図４】
2018165438.tif 000006
【図５】
2018165438.tif 000007
【図６】
2018165438.tif 000008
【図７】
2018165438.tif 000009
【図８】
2018165438.tif 000010